(57)【要約】【課題】猫が円筒部材の内部に入るときの安定性が高く、内部に入った猫が円筒部材の上面に首を乗せやすいサークル型の猫用爪研ぎを提供する。【解決手段】上方からみた形状が円形である底面部材と、前記底面部材の外周から上方に向かって壁を形成する円筒部材とを有し、前記底面部材の上面及び前記円筒部材の内周表面には、猫が爪を研ぐための爪研ぎ部材が配置されている猫用爪研ぎであって、前記猫用爪研ぎの高さをＨ（ｍｍ）、外径をＤ（ｍｍ）としたとき、Ｈ／Ｄが０．３８５以下である。【選択図】図１
0003194668.tif 000002
【実用新案登録請求の範囲】
【請求項１】
上方からみた形状が円形である底面部材と、前記底面部材の外周から上方に向かって壁を形成する円筒部材とを有し、前記底面部材の上面及び前記円筒部材の内周表面には、猫が爪を研ぐための爪研ぎ部材が配置されている猫用爪研ぎであって、
前記猫用爪研ぎの高さをＨ（ｍｍ）、外径をＤ（ｍｍ）としたとき、Ｈ／Ｄが０．３８５以下である猫用爪研ぎ。
【請求項２】
Ｈ／Ｄが０．３５０〜０．３７０である請求項１に記載の猫用爪研ぎ。
【請求項３】
前記円筒部材の厚さが、１０〜５０ｍｍである請求項１又は２に記載の猫用爪研ぎ。
【考案の詳細な説明】
【技術分野】
【０００１】
本考案は、猫が爪を研ぐための猫用爪研ぎに関する。
【背景技術】
【０００２】
猫には、カーペット、段ボール、木などに爪をたてて爪研ぎをする習性がある。その理由としては、古い爪をはがして鋭くするため、ニオイをつけて自分の場所であることを示すため、ストレス解消のためなどと言われている。そのため、放っておくと家のカーペット、柱、壁、家具など様々な場所で猫が爪研ぎをしてしまい、家中が傷だらけになってしまう。そこで、専用の猫用爪研ぎを猫に与えることが有効である。
【０００３】
特許文献１及び２には、平面状の猫用爪研ぎが記載されている。これらの猫用爪研ぎは、猫が遊びながらにして爪が研げるように工夫されている。また、非特許文献１及び２には、「Ｇａｒｉ  Ｇａｒｉ  Ｌｏｕｎｇｅ（ガリガリラウンジ）」や「Ｇａｒｉ  Ｇａｒｉ  Ｃｉｒｃｌｅ（ガリガリサークル）」なる猫用爪研ぎが記載されている。これらの猫用爪研ぎは、猫がリラックスしてくつろぎながら爪が研げるように工夫されている。
【先行技術文献】
【特許文献】
【０００４】
【特許文献１】実開平４−７１４５０号公報
【特許文献２】特開平８−１１８号公報
【非特許文献】
【０００５】
【非特許文献１】http://www.aimcreate.co.jp/shouhin/mju/garilounge/
【非特許文献２】http://www.aimcreate.co.jp/shouhin/mju/garicircle/
【考案の概要】
【考案が解決しようとする課題】
【０００６】
しかし、非特許文献２に記載されたサークル型の猫用爪研ぎは、直径に対する高さが比較的高かったことから、猫が内部に入るために円筒部材の上面に乗っかったときに円筒が横倒しになる可能性を否定できず、また小さめの猫の場合には円筒部材の上面に首を乗せにくいという問題もあった。
【０００７】
そこで、本考案は、猫が円筒部材の内部に入るときの安定性が高く、内部に入った猫が円筒部材の上面に首を乗せやすいサークル型の猫用爪研ぎを提供する。
【課題を解決するための手段】
【０００８】
本考案は、上方からみた形状が円形である底面部材と、前記底面部材の外周から上方に向かって壁を形成する円筒部材とを有し、前記底面部材の上面及び前記円筒部材の内周表面には、猫が爪を研ぐための爪研ぎ部材が配置されている猫用爪研ぎであって、
前記猫用爪研ぎの高さをＨ（ｍｍ）、外径をＤ（ｍｍ）としたとき、Ｈ／Ｄが０．３８５以下である猫用爪研ぎである。
【考案の効果】
【０００９】
本考案によれば、猫が円筒部材の内部に入るときの安定性が高く、内部に入った猫が円筒部材の上面に首を乗せやすいサークル型の猫用爪研ぎを提供できる。
【図面の簡単な説明】
【００１０】
【図１】本考案の一実施形態に係る猫用爪研ぎの外観を示す斜視図である。
【図２】本考案の一実施形態に係る猫用爪研ぎの内部構造を示す断面図である。
【考案を実施するための形態】
【００１１】
本考案の一実施形態に係る猫用爪研ぎの外観を図１（斜視図）に示し、内部構造を図２（断面図）に示す。猫用爪研ぎ１は、上方からみた形状が円形である底面部材１０と、底面部材１０の外周から上方に向かって壁を形成する円筒部材２０とを有する。換言すると、猫用爪研ぎ１は、円筒部材２０の一方の端部が底面部材１０で閉じられた構造をしており、もう一方の開口した端部が上方を向いているサークル型の猫用爪研ぎである。
【００１２】
底面部材１０と円筒部材２０の連結部分の構造は、図２に示すように、円筒部材２０の内径と同じ直径を有する底面部材１０が円筒部材２０の一方の端部の内周にはめ込まれた構造でもよく、円筒部材２０の外径と同じ直径を有する底面部材１０が円筒部材２０の一方の端部を塞いでいる構造でもよい。また、底面部材１０と円筒部材２０が一体として形成された構造でもよい。
【００１３】
底面部材１０の上面及び円筒部材２０の内周表面には、猫が爪を研ぐための爪研ぎ部材が配置されている。すなわち、少なくとも底面部材１０の上面及び円筒部材２０の内周表面に爪研ぎ部材が露出している。こうすることで、猫が円筒部材２０の内部に入って爪を研ぐことができる。爪研ぎ部材の材質としては、カーペット、段ボール、木などが挙げられるが、段ボールが好ましい。段ボール製の爪研ぎ部材としては、段ボールが複数積層された段ボールブロックが挙げられる。段ボール製の爪研ぎ部材であれば、容易に所望の形状に加工することができる。
【００１４】
底面部材１０の上面及び円筒部材２０の内周表面以外の面（底面部材１０の底面及び側面、円筒部材２０の上面、底面及び外周表面）は、爪研ぎ部材が露出していてもよいが、図１及び図２に示すように、猫用爪研ぎ１の底面及び外周表面には、爪研ぎ部材が露出していないように、厚紙やプラスチック板のようなカバー部材３０が配置されていることが好ましい。なお、円筒部材２０の上面（塞がれてない端面）にもカバー部材３０が配置されていてもよいが、図１及び図２に示すように、カバー部材３０が配置されずに、爪研ぎ部材が露出していてもよい。
【００１５】
本考案では、猫用爪研ぎ１の高さをＨ（ｍｍ）、外径をＤ（ｍｍ）としたとき、Ｈ／Ｄが０．３８５以下であることが特徴である。このように外径に対する高さを低めに設定することで、猫が内部に入るために円筒部材２０の上面に乗っかっても、円筒部材２０が横倒しになりにくくなる。また、小さめの猫でも内部から円筒部材２０の上面に首を乗せやすくなる。Ｈ／Ｄは、０．３３０〜０．３８０であることが好ましく、０．３４０〜０．３７５であることがより好ましく、０．３５０〜０．３７０であることがさらに好ましい。
【００１６】
猫用爪研ぎ１の高さＨは、９０〜２００ｍｍが好ましく、１１０〜１８０がより好ましく、１３０〜１６０ｍｍがさらに好ましい。猫用爪研ぎ１の外形Ｄは、２５０〜５５０ｍｍが好ましく、３００〜５００がより好ましく、３６０〜４５０ｍｍがさらに好ましい。これらは、猫の大きさを考慮して適宜設定することができる。
【００１７】
底面部材１０及び円筒部材２０の厚さＴは、同一でも異なっていてもよく、それぞれ独立して１０〜５０ｍｍであることが好ましい。特に、円筒部材２０の厚さが１０〜５０ｍｍであれば、猫が円筒部材２０の上面に首を乗せてくつろぎやすくなる。底面部材１０及び円筒部材２０の厚さは、２０〜４０ｍｍであることが好ましく、２５〜３５ｍｍであることがさらに好ましく、例えば３０ｍｍとすることができる。
【００１８】
本考案には、例えば、以下のサイズの猫用爪研ぎが含まれる。
（１）Ｈ：１３５ｍｍ、Ｄ：３７０ｍｍ、Ｈ／Ｄ＝０．３６５、Ｔ：３０ｍｍ
（２）Ｈ：１５５ｍｍ、Ｄ：４４０ｍｍ、Ｈ／Ｄ＝０．３５２、Ｔ：３０ｍｍ
【００１９】
以上のような本考案に係るサークル型の猫用爪研ぎは、外径に対する高さが低めに設定されているので、猫が円筒部材の内部に入るときの安定性が高く、内部に入った猫が円筒部材の上面に首を乗せやすい。
【符号の説明】
【００２０】
１    猫用爪研ぎ
１０  底面部材
２０  円筒部材
３０  カバー部材
【図１】
0003194668.tif 000003
【図２】
0003194668.tif 000004